(57)【要約】【課題】撮影装置により取得した放射線画像情報を速やかに確認できるとともに、放射線画像情報の確認の際に被写体に負担を掛けることのない放射線画像撮影システムを提供する。【解決手段】放射線画像撮影システム１０は、処理室１３２に設置されているコンソール１８により設定された撮影条件を、各操作ユニット２８、３０、１４８、１５０の表示部で確認し、必要に応じて変更した後、操作ユニット２８、３０、１４８、１５０を操作して放射線源２６を駆動して放射線画像情報の撮影を行い、取得した放射線画像情報を操作ユニット２８、３０、１４８、１５０の表示部にプレビュー画像として表示して確認する。【選択図】図６
2009233148.tif 000002
【特許請求の範囲】
【請求項１】
所定の撮影条件に従って放射線源を制御し、被写体の放射線画像情報を取得する撮影装置と、
前記撮影条件を設定するとともに、前記撮影装置により取得した前記放射線画像情報を処理する処理装置と、
前記放射線源を駆動し、前記被写体に放射線を照射するための操作を行う操作ユニットと、
を備え、
前記操作ユニットは、
前記放射線源から前記放射線を出力させるための曝射スイッチと、
前記撮影装置により取得した前記放射線画像情報を表示する表示部と、
を有することを特徴とする放射線画像撮影システム。
【請求項２】
請求項１記載のシステムにおいて、
前記操作ユニットは、前記撮影条件を設定する設定部を有することを特徴とする放射線画像撮影システム。
【請求項３】
請求項１又は２記載のシステムにおいて、
前記表示部は、前記撮影条件を表示することを特徴とする放射線画像撮影システム。
【請求項４】
請求項１〜３のいずれか１項記載のシステムにおいて、
前記処理装置は、複数の前記撮影装置に対する前記撮影条件を設定するとともに、前記各撮影装置により取得した前記放射線画像情報を処理し、前記操作ユニットは、前記各撮影装置に接続されることを特徴とする放射線画像撮影システム。
【請求項５】
請求項１〜４のいずれか１項記載のシステムにおいて、
前記撮影装置は、前記被写体を透過した前記放射線を検出して放射線画像情報を取得する放射線変換パネルを有し、前記放射線変換パネルは、前記撮影装置から分離可能に構成されることを特徴とする放射線画像撮影システム。
【請求項６】
請求項５記載のシステムにおいて、
前記放射線変換パネルから前記放射線画像情報を読み取る読取装置を備えることを特徴とする放射線画像撮影システム。
【発明の詳細な説明】
【技術分野】
【０００１】
本発明は、撮影装置を用いて被写体の放射線画像情報を取得する放射線画像撮影システムに関する。
【背景技術】
【０００２】
例えば、病院等の医療機関においては、患者の所望の放射線画像情報を取得するため、ＲＩＳ（Radiology  Information  System）を用いて、患者の氏名、性別、年齢等の患者情報、撮影方法、撮影部位、使用する撮影装置、該当する撮影部位に照射する放射線量を決定するための曝射条件等の撮影条件を医師が設定し、これらの情報を放射線科に設置されたコンソールに供給する一方、現場の技師がコンソールを操作して、指定された撮影装置を曝射条件に従って制御することで患者の放射線画像情報を取得し、取得した放射線画像情報に所定の画像処理を施した後、その放射線画像情報を医師による読影診断を行うビューアに供給する放射線画像撮影システムが構築されている。
【０００３】
ここで、撮影を行う際、現場の技師は、設定された撮影条件に従い、撮影装置に対する撮影部位の位置調整等を行い、次いで、曝射スイッチを操作して撮影を行う。撮影によって取得した放射線画像情報は、コンソールに表示される。技師は、表示された放射線画像情報を確認し、必要に応じて、撮影部位や曝射条件等の撮影条件を変更して再撮影を行う。
【０００４】
この場合、技師は、放射線画像情報を確認するため、コンソールまで移動しなければならない。再撮影を行う場合には、その都度、撮影装置とコンソールとの間を移動する必要が生じるため、非常に煩わしいものとなる。そこで、このような煩わしさを回避可能な従来技術として、例えば、特許文献１に開示されたものがある。
【０００５】
この従来技術は、Ｘ線発生部及び制御部を移動台車に載置して移動可能に構成した移動型Ｘ線装置に関するものであり、制御部に接続された平面検出器を患者の撮影部位に設定した後、Ｘ線発生部からＸ線を患者に照射することで、放射線画像情報の撮影を行う。平面検出器には、放射線画像情報を撮影する撮影エリアに加えて、撮影された放射線画像情報を表示する表示部と、撮影条件を設定する操作部とが設けられている。
【０００６】
技師は、平面検出器の表示部に表示された放射線画像情報をその場で確認し、再撮影の要否を判断することができる。また、必要に応じて、平面検出器の操作部を用いて撮影条件を変更し、再撮影を行うことができる。平面検出器をこのように構成することにより、技師は、移動台車まで戻ることなく、放射線画像情報の確認、及び、撮影条件の変更を行うことが可能となる。
【０００７】
【特許文献１】特開２００６−３３４１６０号公報
【発明の開示】
【発明が解決しようとする課題】
【０００８】
しかしながら、放射線画像情報を検出する平面検出器に表示部及び操作部を設けているため、撮影エリアの有効範囲が制約され、あるいは、この制約を回避するために平面検出器を大きく構成しなければならないという問題がある。
【０００９】
また、撮影した放射線画像情報を表示部で確認する際、患者の身体で表示部が隠されてしまわないように、平面検出器を一旦患者の撮影部位から離間させなければならない。この場合、例えば、撮影条件を変えて再撮影を行おうとしても、同一の撮影部位に平面検出器を正確に配置することは困難であり、また、平面検出器を再配置するために、患者に負担を掛けてしまうことになる。
【００１０】
一方、放射線画像情報の撮影を行う際、技師は、Ｘ線発生部から離れた位置に退避し、Ｘ線を浴びない状態で撮影を行わなければならない。従って、平面検出器に表示部や操作部を設けたとしても、放射線画像情報の確認や撮影条件の設定を平面検出器で行うことができるだけであって、これらの作業に対する煩わしさを大幅に改善できるものではない。
【００１１】
本発明の目的は、撮影装置により取得した放射線画像情報を速やかに確認できるとともに、放射線画像情報の確認の際に被写体に負担を掛けることのない放射線画像撮影システムを提供することにある。
【００１２】
また、本発明の目的は、放射線画像情報を取得する際の撮影条件の設定作業を容易に行うことができる放射線画像撮影システムを提供することにある。
【課題を解決するための手段】
【００１３】
本発明の放射線画像撮影システムは、所定の撮影条件に従って放射線源を制御し、被写体の放射線画像情報を取得する撮影装置と、
前記撮影条件を設定するとともに、前記撮影装置により取得した前記放射線画像情報を処理する処理装置と、
前記放射線源を駆動し、前記被写体に放射線を照射するための操作を行う操作ユニットと、
を備え、
前記操作ユニットは、
前記放射線源から前記放射線を出力させるための曝射スイッチと、
前記撮影装置により取得した前記放射線画像情報を表示する表示部と、
を有することを特徴とする。
【００１４】
また、本発明の放射線画像撮影システムは、前記操作ユニットが、前記撮影条件を設定する設定部を有することを特徴とする。
【発明の効果】
【００１５】
本発明では、放射線源を駆動する操作ユニットに放射線画像情報を表示する表示部を配設することにより、撮影時に操作ユニットを操作する技師が、取得した放射線画像情報をその場所で直ちに確認することができる。また、撮影装置側に影響を与えることなく放射線画像情報を確認できるため、被写体に何ら負担が掛かることがない。さらに、操作ユニットを用いて撮影条件の設定、変更ができるため、放射線画像情報の再撮影を効率的に行うことができる。
【発明を実施するための最良の形態】
【００１６】
図１及び図２は、本実施形態の放射線画像撮影システム１０の構成を示す。放射線画像撮影システム１０は、病院内の医療事務処理を管理する医事情報システム１２（ＨＩＳ：Ｈｏｓｐｉｔａｌ  Ｉｎｆｏｒｍａｔｉｏｎ  Ｓｙｓｔｅｍ）と、ＨＩＳ１２の管理下において、放射線科での放射線画像の撮影処理を管理する放射線科情報システム１４（ＲＩＳ：Ｒａｄｉｏｌｏｇｙ  Ｉｎｆｏｒｍａｔｉｏｎ  Ｓｙｓｔｅｍ）と、医師による放射線画像情報の読影診断を行うためのビューア１６と、放射線科の撮影室に隣接する処理室に設置され、仕様形態の異なる複数の撮影装置を集中管理制御するコンソール１８（処理装置）と、撮影室に設置される撮影装置２０、２２と、各撮影装置２０、２２を構成する放射線源２４、２６を駆動するための操作ユニット２８、３０と、撮影装置２２によって放射線変換パネルＰ（放射線変換パネル）に記録された放射線画像情報を読み取る読取装置３２とを備え、これらが院内ネットワーク３４によって相互に接続されている。院内ネットワーク３４には、必要に応じてさらに他のコンソール、撮影装置等を接続することができる。
【００１７】
撮影装置２０は、立位の状態にある被写体３６の放射線画像情報を取得するための撮影台３８と、放射線源２４と、操作ユニット２８からの曝射信号に従って放射線源２４を駆動制御する線源制御ユニット４０とを備える。撮影台３８には、放射線を直接電気信号に変換する固体放射線検出素子からなる放射線変換パネルＤ（図３）が内蔵される。
【００１８】
放射線変換パネルＤは、放射線を感知して電荷を発生させるアモルファスセレン（ａ−Ｓｅ）等の物質からなる光電変換層４２を行列状の薄膜トランジスタ（ＴＦＴ：Ｔｈｉｎ  Ｆｉｌｍ  Ｔｒａｎｓｉｓｔｏｒ）４４のアレイの上に配置した構造を有し、発生した電荷を蓄積容量４６に蓄積した後、各行毎にＴＦＴ４４を順次オンにして、電荷を画像信号として読み出す。図３では、光電変換層４２及び蓄積容量４６からなる１つの画素４８と１つのＴＦＴ４４との接続関係のみを示し、その他の画素４８の構成については省略している。なお、アモルファスセレンは、高温になると構造が変化して機能が低下してしまうため、所定の温度範囲内で使用する必要がある。従って、撮影台３８内に放射線変換パネルＤを冷却する手段を配設することが好ましい。
【００１９】
各画素４８に接続されるＴＦＴ４４には、行方向と平行に延びるゲート線５０と、列方向と平行に延びる信号線５２とが接続される。各ゲート線５０は、ライン走査駆動部５４に接続され、各信号線５２は、読取回路を構成するマルチプレクサ５６に接続される。
【００２０】
ゲート線５０には、行方向に配列されたＴＦＴ４４をオンオフ制御する制御信号Ｖｏｎ、Ｖｏｆｆがライン走査駆動部５４から供給される。この場合、ライン走査駆動部５４は、ゲート線５０を切り替える複数のスイッチＳＷ１と、スイッチＳＷ１の１つを選択する選択信号を出力するアドレスデコーダ５８とを備える。アドレスデコーダ５８には、制御部６０からアドレス信号が供給される。
【００２１】
また、信号線５２には、列方向に配列されたＴＦＴ４４を介して各画素４８の蓄積容量４６に保持されている電荷が流出する。この電荷は、増幅器６２によって増幅される。増幅器６２には、サンプルホールド回路６４を介してマルチプレクサ５６が接続される。マルチプレクサ５６は、信号線５２を切り替える複数のスイッチＳＷ２と、スイッチＳＷ２の１つを選択する選択信号を出力するアドレスデコーダ６６を備える。アドレスデコーダ６６には、制御部６０からアドレス信号が供給される。マルチプレクサ５６には、Ａ／Ｄ変換器６８が接続され、Ａ／Ｄ変換器６８によってデジタル信号に変換された放射線画像情報が制御部６０に供給される。制御部６０は、取得した放射線画像情報を院内ネットワーク３４を介してコンソール１８及び操作ユニット２８に供給する。
【００２２】
撮影装置２２は、臥位の状態にある被写体３６の放射線画像情報を取得するための撮影台７０と、放射線源２６と、操作ユニット３０からの曝射信号に従って放射線源２６を駆動制御する線源制御ユニット７２とを備える。撮影台７０は、蓄積性蛍光体パネルからなる放射線変換パネルＰを収納したカセッテ７４が装填されるスロット７６を有する。
【００２３】
放射線変換パネルＰは、照射された放射線のエネルギを蓄積する蓄積性蛍光体層を支持体上に形成したもので、励起光を照射することにより蓄積されたエネルギに応じた輝尽発光光を出力する一方、所定光量の消去光を照射することにより残存するエネルギを除去して再使用できるものである。
【００２４】
カセッテ７４は、放射線変換パネルＰを蓋部材７８を介して収脱可能に収納するもので、その外面部には、内部に収納されている放射線変換パネルＰを個別に識別するための固有番号、サイズ、感度等の識別情報が記録されたバーコード８０が装着される。バーコード８０は、コンソール１８に接続されたバーコードリーダ８２によって読み取ることができる。
【００２５】
読取装置３２は、放射線変換パネルＰに記録された放射線画像情報を読み取る装置であり、図４に示すように構成される。
【００２６】
読取装置３２は、ケーシング８４の上部に、カセッテ装填部８６が配設される。カセッテ装填部８６には、放射線画像情報が蓄積記録された放射線変換パネルＰを収納したカセッテ７４が装填される。カセッテ装填部８６には、カセッテ７４に配設されたバーコード８０の識別情報を読み取るバーコードリーダ８８と、カセッテ７４の蓋部材７８のロックを解除するロック解除機構９０と、蓋部材７８が開蓋されたカセッテ７４から放射線変換パネルＰを吸着して取り出す吸着盤９２と、吸着盤９２によって取り出された放射線変換パネルＰを挟持搬送するニップローラ９４とが配設される。
【００２７】
ニップローラ９４に連設して、複数の搬送ローラ９４ａ〜９４ｇ及び複数のガイド板９６ａ〜９６ｆが配設され、これらにより湾曲搬送路９８が構成される。湾曲搬送路９８は、カセッテ装填部８６から下方向に延在した後、最下部において略水平状態となり、次いで、略鉛直上方向に延在する。これにより、読取装置３２の小型化が達成される。
【００２８】
ニップローラ９４と搬送ローラ９４ａとの間には、読取処理が終了した放射線変換パネルＰに残存する放射線画像情報を消去するための消去部１００が配設される。消去部１００は、消去光を出力する冷陰極管等の消去光源１０２を有する。
【００２９】
湾曲搬送路９８の最下部に配設される搬送ローラ９４ｄ、９４ｅ間には、プラテンローラ１０４が配設される。そして、プラテンローラ１０４の上部には、放射線変換パネルＰに蓄積記録された放射線画像情報を読み取る走査ユニット１０６が配設される。
【００３０】
走査ユニット１０６は、励起光であるレーザビームＬＢを導出して放射線変換パネルＰを走査する励起部１０８と、レーザビームＬＢによって励起されて出力される放射線画像情報に係る輝尽発光光を読み取る読取部１１０とを備える。
【００３１】
読取部１１０は、一端部がプラテンローラ１０４上の放射線変換パネルＰに近接して配置される集光ガイド１１２と、集光ガイド１１２の他端部に連結され、放射線変換パネルＰから得られた輝尽発光光を電気信号に変換するフォトマルチプライヤ１１４とを備える。フォトマルチプライヤ１１４によって読み取られた放射線画像情報は、院内ネットワーク３４を介してコンソール１８及び操作ユニット３０に供給される。
【００３２】
図５は、放射線画像撮影システム１０を構成するコンソール１８、撮影装置２０、２２及び操作ユニット２８、３０を中心とする制御ブロック図である。
【００３３】
コンソール１８は、ＨＩＳ１２を用いて設定した患者の氏名、性別、年齢等の患者情報、ＲＩＳ１４を用いて医師が設定した当該患者に対する放射線画像情報の撮影方法、撮影部位、使用する撮影装置、使用する撮影装置を構成する放射線源に設定する管電圧、管電流、放射線の曝射時間等の曝射条件を含む撮影条件を院内ネットワーク３４を介して取得するとともに、撮影条件の変更、設定を行う撮影条件設定部１１６と、撮影装置２０、２２を制御する制御部１１８と、撮影装置２０、２２により取得した放射線画像情報に対する画像処理を行う画像処理部１２０と、撮影条件設定部１１６で設定された撮影条件を含む撮影メニューを表示するとともに、画像処理された放射線画像情報を表示する表示部１２２とを備える。
【００３４】
操作ユニット２８、３０は、制御部１２４と、撮影装置２０、２２の線源制御ユニット４０、７２に設定される撮影条件の変更、設定を行う設定部１２６と、放射線源２４、２６に対して曝射信号を出力する曝射スイッチ１２８と、設定された撮影条件を含む撮影メニューを表示するとともに、撮影装置２０、２２により取得した放射線画像情報のプレビュー画像を表示する表示部１３０とを備える。
【００３５】
図６は、コンソール１８及び読取装置３２が設置される処理室１３２と、撮影装置２０、２２、１３４、１３６が設置される撮影室１３８ａ〜１３８ｄとのレイアウトの一例を示す。
【００３６】
処理室１３２と各撮影室１３８ａ〜１３８ｄとは、放射線を遮断することのできる隔壁１４０によって分離されており、処理室１３２と各撮影室１３８ａ〜１３８ｄとの間には、技師が出入りするドア１４２ａ〜１４２ｄが設けられる。また、撮影室１３８ａ〜１３８ｄと外部との間には、被写体３６である患者が出入りするドア１４４ａ〜１４４ｄが設けられる。さらに、撮影室１３８ａ〜１３８ｄ内には、被写体３６が衣服を脱着するための更衣室１４６ａ〜１４６ｄが設けられる。一方、処理室１３２側には、各撮影室１３８ａ〜１３８ｄに設置された撮影装置２０、２２、１３４、１３６を操作するための操作ユニット２８、３０、１４８、１５０が配設される。
【００３７】
本実施形態の放射線画像撮影システム１０は、基本的には以上のように構成されるものであり、次にその動作について説明する。
【００３８】
先ず、ＨＩＳ１２を用いて、患者の氏名、性別、年齢等の患者情報が設定され、次いで、医師は、当該患者情報に関連させて、放射線画像の撮影方法、撮影部位、撮影に使用する撮影装置、撮影装置を構成する放射線源に対する管電圧、管電流、放射線の曝射時間等の曝射条件を含む撮影条件を、ＲＩＳ１４を用いて設定する。ＨＩＳ１２及びＲＩＳ１４で設定されたこれらの撮影指示情報は、院内ネットワーク３４を介して、放射線科の処理室１３２に設置されたコンソール１８に送信される。コンソール１８は、送信された撮影指示情報を表示部１２２に表示する。
【００３９】
一方、処理室１３２に待機している技師は、コンソール１８の表示部１２２に表示された撮影指示情報を確認し、必要に応じて、撮影条件設定部１１６を用いて撮影条件の変更、設定を行う。例えば、技師は、医師が選択した撮影装置が使用中であったり、メンテナンス中であったりした場合、撮影条件設定部１１６を用いて使用可能な撮影装置に変更する。また、被写体３６の撮影部位に応じた管電圧、管電流、放射線の照射時間等の撮影条件の変更、設定を行う。
【００４０】
次に、技師は、コンソール１８を用いて、被写体３６に対する撮影処理を開始する。技師は、コンソール１８の表示部１２２に表示された撮影指示情報から被写体３６を選択し、当該被写体３６に対して設定されている撮影条件に基づく撮影装置が設置されている撮影室１３８ａ〜１３８ｄに被写体３６を誘導する。例えば、撮影室１３８ａが選択された場合、被写体３６は、ドア１４４ａから撮影室１３８ａに入り、更衣室１４６ａで着替えを行う。また、技師は、処理室１３２からドア１４２ａを介して撮影室１３８ａに入り、撮影装置２０の撮影台３８の位置調整、被写体３６の撮影姿勢の調整等を行った後、処理室１３２に退出する。
【００４１】
一方、撮影室１３８ａが選択された場合、コンソール１８の制御部１１８は、選択された被写体３６に係る撮影条件を、撮影装置２０の線源制御ユニット４０及び操作ユニット２８に送信する。線源制御ユニット４０には、撮影条件に基づき、放射線源２４に対する管電圧、管電流、放射線の曝射時間等の曝射条件が設定される。また、操作ユニット２８の表示部１３０には、図７に示すように、撮影条件に基づき、患者名、撮影者、撮影日時等が表示されるとともに、撮影メニューである撮影部位の情報、管電圧、管電流、放射線の曝射時間等の曝射条件が表示される。
【００４２】
ここで、操作ユニット２８は、設定部１２６を有しており、技師は、この設定部１２６を用いて、撮影条件の変更、再設定を行うことができる。変更、再設定された撮影条件は、操作ユニット２８から撮影装置２０の線源制御ユニット４０に送信されて調整が行われる。また、操作ユニット２８で変更、再設定された撮影条件は、院内ネットワーク３４を介してコンソール１８に送信された後、操作ユニット２８で設定された撮影条件の変更処理が行われる。
【００４３】
なお、操作ユニット２８の表示部１３０において、ＲＩＳ１４等で設定された標準的な撮影条件と、技師によって変更された撮影条件、例えば、被写体３６の体厚、子供であるか否か、妊婦であるか否か等の撮影条件との差異を表示させることにより、技師による撮影条件の変更の適否を客観的に判断することが可能となる。また、被写体３６が妊婦である場合、撮影条件に関して、アラーム表示やアラーム音による注意喚起をするようにしてもよい。
【００４４】
技師は、操作ユニット２８の表示部１３０に表示された撮影条件を確認した後、放射線画像情報の撮影を開始する。技師が操作ユニット２８の曝射スイッチ１２８を押下すると、曝射信号が線源制御ユニット４０を介して放射線源２４に供給される。曝射信号が供給された放射線源２４は、線源制御ユニット４０に設定されている曝射条件に従って制御された放射線を出力し、被写体３６に照射する。
【００４５】
被写体３６を透過した放射線は、撮影台３８に収納されている放射線変換パネルＤに照射され、放射線画像情報が記録される。
【００４６】
放射線変換パネルＤ（図３）を構成する各画素４８の光電変換層４２は、入射した放射線を電気信号に変換し、その電気信号が蓄積容量４６に電荷として保持される。次いで、各蓄積容量４６に保持された被写体３６の放射線画像情報である電荷情報は、制御部６０からライン走査駆動部５４及びマルチプレクサ５６に供給されるアドレス信号に従って読み出される。
【００４７】
すなわち、ライン走査駆動部５４のアドレスデコーダ５８は、制御部６０から供給されるアドレス信号に従って選択信号を出力してスイッチＳＷ１の１つを選択し、対応するゲート線５０に接続されたＴＦＴ４４のゲートに制御信号Ｖｏｎを供給する。一方、マルチプレクサ５６のアドレスデコーダ６６は、制御部６０から供給されるアドレス信号に従って選択信号を出力してスイッチＳＷ２を順次切り替え、ライン走査駆動部５４によって選択されたゲート線５０に接続された各画素４８の蓄積容量４６に保持された電荷情報である放射線画像情報を信号線５２を介して順次読み出す。
【００４８】
放射線変換パネルＤの選択されたゲート線５０に接続された各画素４８の蓄積容量４６から読み出された放射線画像情報は、各増幅器６２によって増幅された後、各サンプルホールド回路６４によってサンプリングされ、マルチプレクサ５６を介してＡ／Ｄ変換器６８に供給され、デジタル信号に変換される。デジタル信号に変換された放射線画像情報は、制御部６０により院内ネットワーク３４を介してコンソール１８及び操作ユニット２８に送信される。
【００４９】
同様にして、ライン走査駆動部５４のアドレスデコーダ５８は、制御部６０から供給されるアドレス信号に従ってスイッチＳＷ１を順次切り替え、各ゲート線５０に接続されている各画素４８の蓄積容量４６に保持された電荷情報である放射線画像情報を信号線５２を介して読み出し、マルチプレクサ５６、Ａ／Ｄ変換器６８及び制御部６０を介してコンソール１８及び操作ユニット２８に送信される。
【００５０】
操作ユニット２８は、受信した放射線画像情報を表示部１３０に表示させる。この場合、技師は、操作ユニット２８の曝射スイッチ１２８を操作して放射線画像情報の撮影を行っており、コンソール１８まで移動することなく、操作ユニット２８の表示部１３０において、撮影された被写体３６の放射線画像情報のプレビュー画像を確認することができる。なお、プレビュー画像は、撮影条件を確認できる程度の解像度であればよい。
【００５１】
プレビュー画像を確認し、取得した放射線画像情報が不適切であると判断したとき、技師は、操作ユニット２８の設定部１２６を用いて、その場で撮影条件を変更する。この場合、撮影姿勢や撮影部位の変更が不要であれば、被写体３６を煩わせることなく、曝射スイッチ１２８を操作して直ちに再撮影を行うことができる。再撮影によって取得した放射線画像情報は、同様にして、操作ユニット２８の表示部１３０に表示させて再度確認することができる。
【００５２】
なお、再撮影された放射線画像情報を表示部１３０に表示する際、前回の撮影で取得した放射線画像情報及び撮影条件を同時に表示させるようにすれば、撮影条件を変更して取得した放射線画像情報が適切であるか否かをより正確に判断することが可能となる。
【００５３】
取得した放射線画像情報が適切である場合、当該放射線画像情報は、撮影装置２０又は操作ユニット２８からコンソール１８に送信され、画像処理部１２０で所望の画像処理が施された後、院内ネットワーク３４を介してビューア１６に送信される。医師は、ビューア１６に送信された放射線画像情報に基づき、必要な読影診断を行う。
【００５４】
次に、撮影室１３８ｂが選択された場合について説明する。
【００５５】
撮影室１３８ｂの撮影装置２２に接続された操作ユニット３０の表示部１３０には、操作ユニット２８の場合と同様に、選択された被写体３６に係る撮影条件が表示される。技師は、操作ユニット３０において、撮影条件の変更、再設定を行うことができる。また、撮影条件は、操作ユニット３０から撮影装置２２の線源制御ユニット７２に送信されて設定される。
【００５６】
技師は、コンソール１８に接続されたバーコードリーダ８２を用いて、カセッテ７４に装着されたバーコード８０を読み取ることにより、カセッテ７４に収納されている放射線変換パネルＰを識別するための固有番号、サイズ、感度等の識別情報を取得する。
【００５７】
次いで、前記カセッテ７４を撮影装置２２のスロット７６に装填した後、操作ユニット３０の曝射スイッチ１２８を押下することにより、放射線源２６から放射線が出力され、被写体３６に照射される。
【００５８】
被写体３６を透過した放射線は、カセッテ７４に収納されている放射線変換パネルＰに照射され、被写体３６の放射線画像情報が蓄積記録される。
【００５９】
放射線画像情報が記録された放射線変換パネルＰを収納するカセッテ７４は、撮影装置２２から抜き取られた後、読取装置３２のカセッテ装填部８６に装填される。カセッテ７４が装填されると、カセッテ装填部８６に配設されているバーコードリーダ８８がカセッテ７４に装着されたバーコード８０を読み取り、放射線変換パネルＰの固有番号、サイズ、感度等の識別情報を取得する。取得した識別情報は、コンソール１８に接続されたバーコードリーダ８２によって取得した識別情報と照合されることで、被写体３６と放射線画像情報との対応関係が確認される。
【００６０】
識別情報が読み取られると、ロック解除機構９０が駆動され、蓋部材７８のロック状態が解除されて開蓋される。次いで、吸着盤９２が放射線変換パネルＰを吸着し、カセッテ７４から放射線変換パネルＰを取り出してニップローラ９４間に供給する。ニップローラ９４により挟持された放射線変換パネルＰは、搬送ローラ９４ａ〜９４ｇ及びガイド板９６ａ〜９６ｆからなる湾曲搬送路９８を介して、走査ユニット１０６の下部に搬送される。
【００６１】
放射線変換パネルＰは、搬送ローラ９４ｄ及び９４ｅにより略水平方向に副走査搬送される。一方、励起部１０８から出力されたレーザビームＬＢは、プラテンローラ１０４により支持された放射線変換パネルＰに導かれ、放射線変換パネルＰを主走査する。
【００６２】
放射線変換パネルＰは、レーザビームＬＢが照射されることで励起され、蓄積記録されている放射線画像情報に応じた輝尽発光光を出力する。この輝尽発光光は、放射線変換パネルＰの主走査方向に沿って近接配置された集光ガイド１１２の下端部から入射し、内部で反射を繰り返し、上端部のフォトマルチプライヤ１１４に導かれる。フォトマルチプライヤ１１４は、入射した輝尽発光光を電気信号に変換し、これによって、放射線変換パネルＰに蓄積記録されている放射線画像情報が読み取られる。
【００６３】
走査ユニット１０６によって読み取られた放射線画像情報は、院内ネットワーク３４を介してコンソール１８及び操作ユニット３０に送信される。操作ユニット３０は、操作ユニット２８の場合と同様に、受信した放射線画像情報をプレビュー画像として表示部１３０に表示させる。技師は、表示されたプレビュー画像を確認し、必要に応じて、撮影条件を変更して直ちに再撮影を行うことができる。
【００６４】
本実施形態では、複数の撮影装置２０、２２、１３４、１３６に対し、コンソール１８を共有させて処理室１３２の省スペース化を推進することができるとともに、各撮影室１３８ａ〜１３８ｄ毎に取得した放射線画像情報を各操作ユニット２８、３０、１４８、１５０に表示させ、個別に放射線画像情報を確認することができる。
【００６５】
一方、取得した放射線画像情報が適切である場合、当該放射線画像情報は、撮影装置２２又は操作ユニット３０からコンソール１８に送信され、画像処理部１２０で所望の画像処理が施された後、院内ネットワーク３４を介してビューア１６に送信される。医師は、ビューア１６に送信された放射線画像情報に基づき、必要な読影診断を行う。
【００６６】
なお、本発明は、上述した実施形態に限定されるものではなく、本発明の主旨を逸脱しない範囲で自由に変更できることは勿論である。
【図面の簡単な説明】
【００６７】
【図１】本実施形態の放射線画像撮影システムの構成図である。
【図２】図１に示すシステムの模式的説明図である。
【図３】図１の撮影装置の１つに収納される放射線変換パネルの回路構成図である。
【図４】本実施形態の読取装置の構成図である。
【図５】本実施形態の放射線画像撮影システムを構成するコンソール、撮影装置及び操作ユニットを中心とする制御ブロック図である。
【図６】本実施形態の放射線画像撮影システムを構成するコンソール及び読取装置が設置される処理室及び撮影室のレイアウト説明図である。
【図７】本実施形態の放射線画像撮影システムを構成する操作ユニットの説明図である。
【符号の説明】
【００６８】
１０…放射線画像撮影システム
１２…ＨＩＳ
１４…ＲＩＳ
１６…ビューア
１８…コンソール
２０、２２、１３４、１３６…撮影装置
２４、２６…放射線源
２８、３０、１４８、１５０…操作ユニット
３２…読取装置
３４…院内ネットワーク
３６…被写体
４０、７２…線源制御ユニット
１２４…制御部
１２６…設定部
１２８…曝射スイッチ
１３０…表示部
１３２…処理室
１３８ａ〜１３８ｄ…撮影室
Ｄ、Ｐ…放射線変換パネル
【図１】
2009233148.tif 000003
【図２】
2009233148.tif 000004
【図３】
2009233148.tif 000005
【図４】
2009233148.tif 000006
【図５】
2009233148.tif 000007
【図６】
2009233148.tif 000008
【図７】
2009233148.tif 000009